【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
複数の下りリンクコンポーネントキャリアで受信したトランスポートブロックのそれぞれに対応したＡＣＫ／ＮＡＣＫを、基地局装置へ送信する移動局装置において、
前記基地局装置によって設定された下りリンクコンポーネントキャリアの数と前記設定された各下りリンクコンポーネントキャリアで前記基地局装置から送信可能な最大のトランスポートブロックの数と、に従って、前記基地局装置へ送信するＡＣＫ／ＮＡＣＫのビット数を決定し、
前記送信可能なトランスポートブロックが複数である下りリンクコンポーネントキャリアで、１つのトランスポートブロックを受信した場合には、前記受信したトランスポートブロックに対応してＡＣＫまたはＮＡＣＫを生成するとともに、受信しなかったトランスポートブロックに対応してＡＣＫまたはＮＡＣＫのうち予め決められたいずれかを生成し、
前記生成したＡＣＫ／ＮＡＣＫを前記決定したビット数で前記基地局装置へ送信すること、を特徴とする移動局装置。
【請求項２】
１つまたは複数のトランスポートブロックを基地局が送信可能である前記設定された下りリンクコンポーネントキャリアの物理下りリンク共用チャネルを受信しなかった際に、前記物理下りリンク共用チャネルを受信しなかった下りリンクコンポーネントキャリアで基地局装置が送信可能な最大のトランスポートブロックの数と同じ数のＮＡＣＫを生成すること、を特徴とする請求項１に記載の移動局装置。
【請求項３】
前記ＡＣＫ／ＮＡＣＫのビットを前記設定された下りリンクコンポーネントキャリアの番号に基づいて連結すること、を特徴とする請求項１または請求項２のいずれかに記載の移動局装置。
【請求項４】
複数の下りリンクコンポーネントキャリアで移動局装置へ送信したトランスポートブロックのそれぞれに対応したＡＣＫ／ＮＡＣＫを、前記移動局装置から受信する基地局装置において、
前記移動局装置に複数の下りリンクコンポーネントキャリアを設定し、
前記移動局装置に設定した下りリンクコンポーネントキャリアの数と前記設定した各下りリンクコンポーネントキャリアで前記移動局装置に送信可能な最大のトランスポートブロックの数と、に従って、受信するＡＣＫ／ＮＡＣＫのビット数を決定し、
前記送信可能なトランスポートブロックが複数である下りリンクコンポーネントキャリアで、１つのトランスポートブロックを送信した場合には、前記送信したトランスポートブロックに対応して前記移動局装置によってＡＣＫまたはＮＡＣＫが生成されるとともに、送信しなかったトランスポートブロックに対応してＡＣＫまたはＮＡＣＫのうち予め決められたいずれかが前記移動局装置によって生成され、
前記移動局装置によって生成された前記ＡＣＫ／ＮＡＣＫを前記決定したビット数で受信すること、を特徴とする基地局装置。
【請求項５】
１つまたは複数のトランスポートブロックを前記移動局装置に送信可能である前記設定した下りリンクコンポーネントキャリアの物理下りリンク共用チャネルを送信しなかった際に、前記物理下りリンク共用チャネルを送信しなかった下りリンクコンポーネントキャリアで送信可能な最大のトランスポートブロックの数と同じ数のＮＡＣＫが前記移動局装置によって生成されること、を特徴とする請求項４に記載の基地局装置。
【請求項６】
前記ＡＣＫ／ＮＡＣＫのビットは設定した下りリンクコンポーネントキャリアの番号に基づいて、前記移動局装置によって連結されること、を特徴とする請求項４または請求項５のいずれかに記載の基地局装置。
【請求項７】
複数の下りリンクコンポーネントキャリアで受信したトランスポートブロックのそれぞれに対応したＡＣＫ／ＮＡＣＫを、基地局装置へ送信する移動局装置に用いられる無線通信方法において、
前記基地局装置によって設定された下りリンクコンポーネントキャリアの数と前記設定された各下りリンクコンポーネントキャリアで前記基地局装置から送信可能な最大のトランスポートブロックの数と、に従って、前記基地局装置へ送信するＡＣＫ／ＮＡＣＫのビット数を決定するステップと、
前記送信可能なトランスポートブロックが複数である下りリンクコンポーネントキャリアで、１つのトランスポートブロックを受信した場合には、前記受信したトランスポートブロックに対応してＡＣＫまたはＮＡＣＫを生成するとともに、受信しなかったトランスポートブロックに対応してＡＣＫまたはＮＡＣＫのうち予め決められたいずれかを生成するステップと
前記生成したＡＣＫ／ＮＡＣＫを前記決定したビット数で前記基地局装置へ送信するステップと、を有することを特徴とする無線通信方法。
【請求項８】
１つまたは複数のトランスポートブロックを基地局が送信可能である前記設定された下りリンクコンポーネントキャリアの物理下りリンク共用チャネルを受信しなかった際には、前記物理下りリンク共用チャネルを受信しなかった下りリンクコンポーネントキャリアで基地局装置が送信可能な最大のトランスポートブロックの数と同じ数のＮＡＣＫを生成するステップ、を有することを特徴とする請求項７に記載の無線通信方法。
【請求項９】
前記ＡＣＫ／ＮＡＣＫのビットを前記設定された下りリンクコンポーネントキャリアの番号に基づいて連結するステップ、を有することを特徴とする請求項７または請求項８のいずれかに記載の無線通信方法。
【請求項１０】
複数の下りリンクコンポーネントキャリアで移動局装置へ送信したトランスポートブロックのそれぞれに対応したＡＣＫ／ＮＡＣＫを、前記移動局装置から受信する基地局装置に用いられる無線通信方法において、
前記移動局装置に複数の下りリンクコンポーネントキャリアを設定するステップと、
前記移動局装置に設定した下りリンクコンポーネントキャリアの数と前記設定した各下りリンクコンポーネントキャリアで前記移動局装置に送信可能な最大のトランスポートブロックの数と、に従って、受信するＡＣＫ／ＮＡＣＫのビット数を決定し、
前記送信可能なトランスポートブロックが複数である下りリンクコンポーネントキャリアで、１つのトランスポートブロックを送信した場合には、前記送信したトランスポートブロックに対応して前記移動局装置によってＡＣＫまたはＮＡＣＫが生成されるとともに、送信しなかったトランスポートブロックに対応してＡＣＫまたはＮＡＣＫのうち予め決められたいずれかが前記移動局装置によって生成され、
前記移動局装置によって生成された前記ＡＣＫ／ＮＡＣＫを前記決定したビット数で受信するステップと、を有することを特徴とする無線通信方法。
【請求項１１】
１つまたは複数のトランスポートブロックを前記移動局装置に送信可能である前記設定した下りリンクコンポーネントキャリアの物理下りリンク共用チャネルを送信しなかった際に、前記物理下りリンク共用チャネルを送信しなかった下りリンクコンポーネントキャリアで送信可能な最大のトランスポートブロックの数と同じ数のＮＡＣＫが前記移動局装置によって生成されること、を特徴とする請求項１０に記載の無線通信方法。
【請求項１２】
前記ＡＣＫ／ＮＡＣＫのビットは設定した下りリンクコンポーネントキャリアの番号に基づいて、前記移動局装置によって連結されること、を特徴とする請求項１０または請求項１１のいずれかに記載の無線通信方法。
【請求項１３】
複数の下りリンクコンポーネントキャリアで受信したトランスポートブロックのそれぞれに対応したＡＣＫ／ＮＡＣＫを、基地局装置へ送信する移動局装置に用いられる集積回路において、
前記基地局装置によって設定された下りリンクコンポーネントキャリアの数と前記設定された各下りリンクコンポーネントキャリアで前記基地局装置から送信可能な最大のトランスポートブロックの数と、に従って、前記基地局装置へ送信するＡＣＫ／ＮＡＣＫのビット数を決定する機能と、
前記送信可能なトランスポートブロックが複数である下りリンクコンポーネントキャリアで、１つのトランスポートブロックを受信した場合には、前記受信したトランスポートブロックに対応してＡＣＫまたはＮＡＣＫを生成するとともに、受信しなかったトランスポートブロックに対応してＡＣＫまたはＮＡＣＫのうち予め決められたいずれかを生成する機能と、
前記生成したＡＣＫ／ＮＡＣＫを前記決定したビット数で前記基地局装置へ送信する機能と、を含むことを特徴とする集積回路。
【請求項１４】
１つまたは複数のトランスポートブロックを基地局が送信可能である前記設定された下りリンクコンポーネントキャリアの物理下りリンク共用チャネルを受信しなかった際に、前記物理下りリンク共用チャネルを受信しなかった下りリンクコンポーネントキャリアで基地局装置が送信可能な最大のトランスポートブロックの数と同じ数のＮＡＣＫを生成する機能、を含むことを特徴とする請求項１３に記載の集積回路。
【請求項１５】
前記移動局装置が前記ＡＣＫ／ＮＡＣＫのビットを前記設定された下りリンクコンポーネントキャリアの番号に基づいて連結する機能、を含むことを特徴とする請求項１３または請求項１４のいずれかに記載の集積回路。
【請求項１６】
複数の下りリンクコンポーネントキャリアで移動局装置へ送信したトランスポートブロックのそれぞれに対応したＡＣＫ／ＮＡＣＫを、前記移動局装置から受信する基地局装置に用いられる集積回路おいて、
前記移動局装置に複数の下りリンクコンポーネントキャリアを設定する機能と、
前記移動局装置に設定した下りリンクコンポーネントキャリアの数と前記設定した各下りリンクコンポーネントキャリアで前記移動局装置に送信可能な最大のトランスポートブロックの数と、に従って、受信するＡＣＫ／ＮＡＣＫのビット数を決定し、
前記送信可能なトランスポートブロックが複数である下りリンクコンポーネントキャリアで、１つのトランスポートブロックを送信した場合には、前記送信したトランスポートブロックに対応して前記移動局装置によってＡＣＫまたはＮＡＣＫが生成されるとともに、送信しなかったトランスポートブロックに対応してＡＣＫまたはＮＡＣＫのうち予め決められたいずれかが前記移動局装置によって生成され、
前記移動局装置によって生成された前記ＡＣＫ／ＮＡＣＫを前記決定したビット数で受信する機能と、を含むことを特徴とする集積回路。
【請求項１７】
１つまたは複数のトランスポートブロックを前記移動局装置に送信可能である前記設定した下りリンクコンポーネントキャリアの物理下りリンク共用チャネルを送信しなかった際に、前記物理下りリンク共用チャネルを送信しなかった下りリンクコンポーネントキャリアで送信可能な最大のトランスポートブロックの数と同じ数のＮＡＣＫが前記移動局装置によって生成されること、を特徴とする請求項１６に記載の集積回路。
【請求項１８】
前記ＡＣＫ／ＮＡＣＫのビットは設定した下りリンクコンポーネントキャリアの番号に基づいて、前記移動局装置によって連結されること、を特徴とする請求項１６または請求項１７のいずれかに記載の集積回路。
【請求項１９】
移動局装置が、複数の下りリンクコンポーネントキャリアで受信したトランスポートブロックのそれぞれに対応したＡＣＫ／ＮＡＣＫを、基地局装置へ送信する無線通信システムにおいて、
前記基地局装置は、複数の下りリンクコンポーネントキャリアを設定し、
前記移動局装置は、前記基地局装置が設定した下りリンクコンポーネントキャリアの数と前記各下りリンクコンポーネントキャリアで前記基地局装置から送信可能な最大のトランスポートブロックの数と、に従って、前記基地局装置へ送信するＡＣＫ／ＮＡＣＫのビット数を決定し、
前記送信可能なトランスポートブロックが複数である下りリンクコンポーネントキャリアで、１つのトランスポートブロックを受信した場合には、前記受信したトランスポートブロックに対応してＡＣＫまたはＮＡＣＫを生成するとともに、受信しなかったトランスポートブロックに対応してＡＣＫまたはＮＡＣＫのうち予め決められたいずれかを生成し、
前記生成したＡＣＫ／ＮＡＣＫを前記決定したビット数で前記基地局装置へ送信すること、を特徴とする無線通信システム。
【手続補正２】
【補正対象書類名】明細書
【補正対象項目名】０００３
【補正方法】変更
【補正の内容】
【０００３】
ＬＴＥでは、移動局装置が物理下りリンク共用チャネル（Physical Downlink Control Channel: PDCCH）で受信した下りリンクデータの復号に成功したか否かを示すＡＣＫ（Acknowledgement）／ＮＡＣＫ（Negative Acknowledgement）は、物理上りリンク制御チャネル（Physical Uplink Control Channel: PUCCH）または物理上りリンク共用チャネル（Physical Uplink Shared Channel: PUSCH）を用いて送信される。移動局装置がＡＣＫ／ＮＡＣＫを送信する時にＰＵＳＣＨの無線リソースを割り当てられている場合はＰＵＳＣＨでＡＣＫ／ＮＡＣＫを送信し、ＡＣＫ／ＮＡＣＫを送信する時にＰＵＳＣＨの無線リソースを割り当てられていない場合はＰＵＣＣＨでＡＣＫ／ＮＡＣＫを送信する。
【手続補正３】
【補正対象書類名】明細書
【補正対象項目名】００１１
【補正方法】変更
【補正の内容】
【００１１】
本発明は上記の点に鑑みてなされたものであり、その目的は、移動局装置が複数の下りリンクコンポーネントキャリアで受信した複数のＰＤＳＣＨに対するＡＣＫ／ＮＡＣＫを１つのＰＵＳＣＨで送信する際に、効率的にＡＣＫ／ＮＡＣＫを処理する無線通信システム、基地局装置、移動局装置、無線通信方法および集積回路を提供することである。
【手続補正４】
【補正対象書類名】明細書
【補正対象項目名】００１２
【補正方法】変更
【補正の内容】
【００１２】
（１）上記の目的を達成するために、本発明は、以下のような手段を講じた。すなわち、本発明の移動局装置は、複数の下りリンクコンポーネントキャリアで受信したトランスポートブロックのそれぞれに対応したＡＣＫ／ＮＡＣＫを、基地局装置へ送信する移動局装置であって、前記基地局装置によって設定された下りリンクコンポーネントキャリアの数と前記設定された各下りリンクコンポーネントキャリアで前記基地局装置から送信可能な最大のトランスポートブロックの数と、に従って、前記基地局装置へ送信するＡＣＫ／ＮＡＣＫのビット数を決定し、前記送信可能なトランスポートブロックが複数である下りリンクコンポーネントキャリアで、１つのトランスポートブロックを受信した場合には、前記受信したトランスポートブロックに対応してＡＣＫまたはＮＡＣＫを生成するとともに、受信しなかったトランスポートブロックに対応してＡＣＫまたはＮＡＣＫのうち予め決められたいずれかを生成し、前記生成したＡＣＫ／ＮＡＣＫを前記決定したビット数で前記基地局装置へ送信することを特徴としている。
【手続補正５】
【補正対象書類名】明細書
【補正対象項目名】００１３
【補正方法】変更
【補正の内容】
【００１３】
（２）また、本発明は、上記の移動局装置において、１つまたは複数のトランスポートブロックを基地局が送信可能である前記設定された下りリンクコンポーネントキャリアの物理下りリンク共用チャネルを受信しなかった際に、前記物理下りリンク共用チャネルを受信しなかった下りリンクコンポーネントキャリアで基地局装置が送信可能な最大のトランスポートブロックの数と同じ数のＮＡＣＫを生成することを特徴としている。
【手続補正６】
【補正対象書類名】明細書
【補正対象項目名】００１４
【補正方法】変更
【補正の内容】
【００１４】
（３）また、本発明は、上記の移動局装置において、前記ＡＣＫ／ＮＡＣＫのビットを前記設定された下りリンクコンポーネントキャリアの番号に基づいて連結することを特徴としている。
【手続補正７】
【補正対象書類名】明細書
【補正対象項目名】００１５
【補正方法】変更
【補正の内容】
【００１５】
（４）また、本発明の基地局装置は、複数の下りリンクコンポーネントキャリアで移動局装置へ送信したトランスポートブロックのそれぞれに対応したＡＣＫ／ＮＡＣＫを、前記移動局装置から受信する基地局装置であって、前記移動局装置に複数の下りリンクコンポーネントキャリアを設定し、前記移動局装置に設定した下りリンクコンポーネントキャリアの数と前記設定した各下りリンクコンポーネントキャリアで前記移動局装置に送信可能な最大のトランスポートブロックの数と、に従って、受信するＡＣＫ／ＮＡＣＫのビット数を決定し、前記送信可能なトランスポートブロックが複数である下りリンクコンポーネントキャリアで、１つのトランスポートブロックを送信した場合には、前記送信したトランスポートブロックに対応して前記移動局装置によってＡＣＫまたはＮＡＣＫが生成されるとともに、送信しなかったトランスポートブロックに対応してＡＣＫまたはＮＡＣＫのうち予め決められたいずれかが前記移動局装置によって生成され、前記移動局装置によって生成された前記ＡＣＫ／ＮＡＣＫを前記決定したビット数で受信することを特徴としている。
【手続補正８】
【補正対象書類名】明細書
【補正対象項目名】００１６
【補正方法】変更
【補正の内容】
【００１６】
（５）また、本発明は、上記の基地局装置において、１つまたは複数のトランスポートブロックを前記移動局装置に送信可能である前記設定した下りリンクコンポーネントキャリアの物理下りリンク共用チャネルを送信しなかった際に、前記物理下りリンク共用チャネルを送信しなかった下りリンクコンポーネントキャリアで送信可能な最大のトランスポートブロックの数と同じ数のＮＡＣＫが前記移動局装置によって生成されることを特徴としている。
【手続補正９】
【補正対象書類名】明細書
【補正対象項目名】００１７
【補正方法】変更
【補正の内容】
【００１７】
（６）また、本発明は、上記の基地局装置において、前記ＡＣＫ／ＮＡＣＫのビットは設定した下りリンクコンポーネントキャリアの番号に基づいて、前記移動局装置によって連結されることを特徴としている。
【手続補正１０】
【補正対象書類名】明細書
【補正対象項目名】００１８
【補正方法】変更
【補正の内容】
【００１８】
（７）また、本発明の無線通信方法は、複数の下りリンクコンポーネントキャリアで受信したトランスポートブロックのそれぞれに対応したＡＣＫ／ＮＡＣＫを、基地局装置へ送信する移動局装置に用いられる無線通信方法であって、前記基地局装置によって設定された下りリンクコンポーネントキャリアの数と前記設定された各下りリンクコンポーネントキャリアで前記基地局装置から送信可能な最大のトランスポートブロックの数と、に従って、前記基地局装置へ送信するＡＣＫ／ＮＡＣＫのビット数を決定するステップと、前記送信可能なトランスポートブロックが複数である下りリンクコンポーネントキャリアで、１つのトランスポートブロックを受信した場合には、前記受信したトランスポートブロックに対応してＡＣＫまたはＮＡＣＫを生成するとともに、受信しなかったトランスポートブロックに対応してＡＣＫまたはＮＡＣＫのうち予め決められたいずれかを生成するステップと前記生成したＡＣＫ／ＮＡＣＫを前記決定したビット数で前記基地局装置へ送信するステップと、を有することを特徴としている。
【手続補正１１】
【補正対象書類名】明細書
【補正対象項目名】００１９
【補正方法】変更
【補正の内容】
【００１９】
（８）また、本発明は、上記の無線通信方法において、１つまたは複数のトランスポートブロックを基地局が送信可能である前記設定された下りリンクコンポーネントキャリアの物理下りリンク共用チャネルを受信しなかった際には、前記物理下りリンク共用チャネルを受信しなかった下りリンクコンポーネントキャリアで基地局装置が送信可能な最大のトランスポートブロックの数と同じ数のＮＡＣＫを生成するステップ、を有することを特徴としている。
【手続補正１２】
【補正対象書類名】明細書
【補正対象項目名】００２０
【補正方法】変更
【補正の内容】
【００２０】
（９）また、本発明は、上記の無線通信方法において、前記ＡＣＫ／ＮＡＣＫのビットを前記設定された下りリンクコンポーネントキャリアの番号に基づいて連結するステップ、を有することを特徴としている。
【手続補正１３】
【補正対象書類名】明細書
【補正対象項目名】００２１
【補正方法】変更
【補正の内容】
【００２１】
（１０）また、本発明の無線通信方法は、複数の下りリンクコンポーネントキャリアで移動局装置へ送信したトランスポートブロックのそれぞれに対応したＡＣＫ／ＮＡＣＫを、前記移動局装置から受信する基地局装置に用いられる無線通信方法であって、前記移動局装置に複数の下りリンクコンポーネントキャリアを設定するステップと、前記移動局装置に設定した下りリンクコンポーネントキャリアの数と前記設定した各下りリンクコンポーネントキャリアで前記移動局装置に送信可能な最大のトランスポートブロックの数と、に従って、受信するＡＣＫ／ＮＡＣＫのビット数を決定し、前記送信可能なトランスポートブロックが複数である下りリンクコンポーネントキャリアで、１つのトランスポートブロックを送信した場合には、前記送信したトランスポートブロックに対応して前記移動局装置によってＡＣＫまたはＮＡＣＫが生成されるとともに、送信しなかったトランスポートブロックに対応してＡＣＫまたはＮＡＣＫのうち予め決められたいずれかが前記移動局装置によって生成され、前記移動局装置によって生成された前記ＡＣＫ／ＮＡＣＫを前記決定したビット数で受信するステップと、を有することを特徴としている。
【手続補正１４】
【補正対象書類名】明細書
【補正対象項目名】００２２
【補正方法】変更
【補正の内容】
【００２２】
（１１）また、本発明は、上記の無線通信方法において、１つまたは複数のトランスポートブロックを前記移動局装置に送信可能である前記設定した下りリンクコンポーネントキャリアの物理下りリンク共用チャネルを送信しなかった際に、前記物理下りリンク共用チャネルを送信しなかった下りリンクコンポーネントキャリアで送信可能な最大のトランスポートブロックの数と同じ数のＮＡＣＫが前記移動局装置によって生成されることを特徴としている。
【手続補正１５】
【補正対象書類名】明細書
【補正対象項目名】００２３
【補正方法】変更
【補正の内容】
【００２３】
（１２）また、本発明は、上記の無線通信方法において、前記ＡＣＫ／ＮＡＣＫのビットは設定した下りリンクコンポーネントキャリアの番号に基づいて、前記移動局装置によって連結されることを特徴としている。
【手続補正１６】
【補正対象書類名】明細書
【補正対象項目名】００２４
【補正方法】変更
【補正の内容】
【００２４】
（１３）また、本発明の集積回路は、複数の下りリンクコンポーネントキャリアで受信したトランスポートブロックのそれぞれに対応したＡＣＫ／ＮＡＣＫを、基地局装置へ送信する移動局装置に用いられる集積回路であって、前記基地局装置によって設定された下りリンクコンポーネントキャリアの数と前記設定された各下りリンクコンポーネントキャリアで前記基地局装置から送信可能な最大のトランスポートブロックの数と、に従って、前記基地局装置へ送信するＡＣＫ／ＮＡＣＫのビット数を決定する機能と、前記送信可能なトランスポートブロックが複数である下りリンクコンポーネントキャリアで、１つのトランスポートブロックを受信した場合には、前記受信したトランスポートブロックに対応してＡＣＫまたはＮＡＣＫを生成するとともに、受信しなかったトランスポートブロックに対応してＡＣＫまたはＮＡＣＫのうち予め決められたいずれかを生成する機能と、前記生成したＡＣＫ／ＮＡＣＫを前記決定したビット数で前記基地局装置へ送信する機能と、を含むことを特徴としている。
【手続補正１７】
【補正対象書類名】明細書
【補正対象項目名】００２５
【補正方法】変更
【補正の内容】
【００２５】
（１４）また、本発明は、上記の集積回路において、１つまたは複数のトランスポートブロックを基地局が送信可能である前記設定された下りリンクコンポーネントキャリアの物理下りリンク共用チャネルを受信しなかった際に、前記物理下りリンク共用チャネルを受信しなかった下りリンクコンポーネントキャリアで基地局装置が送信可能な最大のトランスポートブロックの数と同じ数のＮＡＣＫを生成する機能、を含むことを特徴としている。
【手続補正１８】
【補正対象書類名】明細書
【補正対象項目名】００２６
【補正方法】変更
【補正の内容】
【００２６】
（１５）また、本発明は、上記の集積回路において、前記移動局装置が前記ＡＣＫ／ＮＡＣＫのビットを前記設定された下りリンクコンポーネントキャリアの番号に基づいて連結する機能、を含むことを特徴としている。
【手続補正１９】
【補正対象書類名】明細書
【補正対象項目名】００２７
【補正方法】変更
【補正の内容】
【００２７】
（１６）また、本発明の集積回路は、複数の下りリンクコンポーネントキャリアで移動局装置へ送信したトランスポートブロックのそれぞれに対応したＡＣＫ／ＮＡＣＫを、前記移動局装置から受信する基地局装置に用いられる集積回路おいて、前記移動局装置に複数の下りリンクコンポーネントキャリアを設定する機能と、前記移動局装置に設定した下りリンクコンポーネントキャリアの数と前記設定した各下りリンクコンポーネントキャリアで前記移動局装置に送信可能な最大のトランスポートブロックの数と、に従って、受信するＡＣＫ／ＮＡＣＫのビット数を決定し、前記送信可能なトランスポートブロックが複数である下りリンクコンポーネントキャリアで、１つのトランスポートブロックを送信した場合には、前記送信したトランスポートブロックに対応して前記移動局装置によってＡＣＫまたはＮＡＣＫが生成されるとともに、送信しなかったトランスポートブロックに対応してＡＣＫまたはＮＡＣＫのうち予め決められたいずれかが前記移動局装置によって生成され、前記移動局装置によって生成された前記ＡＣＫ／ＮＡＣＫを前記決定したビット数で受信する機能と、を含むことを特徴としている。
（１７）また、本発明は、上記の集積回路において、１つまたは複数のトランスポートブロックを前記移動局装置に送信可能である前記設定した下りリンクコンポーネントキャリアの物理下りリンク共用チャネルを送信しなかった際に、前記物理下りリンク共用チャネルを送信しなかった下りリンクコンポーネントキャリアで送信可能な最大のトランスポートブロックの数と同じ数のＮＡＣＫが前記移動局装置によって生成されること、を特徴としている。
（１８）また、本発明は、上記の集積回路において、前記ＡＣＫ／ＮＡＣＫのビットは設定した下りリンクコンポーネントキャリアの番号に基づいて、前記移動局装置によって連結されること、を特徴としている。
（１９）また、本発明の無線通信システムは、移動局装置が、複数の下りリンクコンポーネントキャリアで受信したトランスポートブロックのそれぞれに対応したＡＣＫ／ＮＡＣＫを、基地局装置へ送信する無線通信システムであって、前記基地局装置は、複数の下りリンクコンポーネントキャリアを設定し、前記移動局装置は、前記基地局装置が設定した下りリンクコンポーネントキャリアの数と前記各下りリンクコンポーネントキャリアで前記基地局装置から送信可能な最大のトランスポートブロックの数と、に従って、前記基地局装置へ送信するＡＣＫ／ＮＡＣＫのビット数を決定し、前記送信可能なトランスポートブロックが複数である下りリンクコンポーネントキャリアで、１つのトランスポートブロックを受信した場合には、前記受信したトランスポートブロックに対応してＡＣＫまたはＮＡＣＫを生成するとともに、受信しなかったトランスポートブロックに対応してＡＣＫまたはＮＡＣＫのうち予め決められたいずれかを生成し、前記生成したＡＣＫ／ＮＡＣＫを前記決定したビット数で前記基地局装置へ送信すること、を特徴としている。
【手続補正２０】
【補正対象書類名】明細書
【補正対象項目名】００２８
【補正方法】変更
【補正の内容】
【００２８】
この発明によれば、移動局装置が複数の下りリンクコンポーネントキャリアで受信した複数のＰＤＳＣＨに対するＡＣＫ／ＮＡＣＫを１つのＰＵＳＣＨで送信する際に、効率的にＡＣＫ／ＮＡＣＫを処理することができる。